(57)【要約】【課題】  光量が少ない状況下で事件や事故を監督者などに通報するのに好適な懐中電灯、サーバ及びこれを用いた連絡システムを提供する。【解決手段】  懐中電灯１は、低光量環境下においても撮影可能な高感度カメラ５と、高感度カメラ５が撮影した画像を基に画像データを生成する制御部４と、移動体通信網１２を介して情報を送受信するための通信装置９とを有し、通信装置９を用いて画像データをサーバ１４へ送信する。【選択図】  図１
2005209559.tif 000002
【特許請求の範囲】
【請求項１】
低光量環境下においても撮影可能な高感度撮影手段と、
前記高感度撮影手段が撮影した画像を基に画像データを生成する手段と、
移動体通信網を介して情報を送受信するためのデータ通信手段と、
前記データ通信手段を用いて前記画像データを所定の情報処理装置へ送信する手段とを有する懐中電灯。
【請求項２】
自装置の位置情報を生成する位置情報生成手段と、
前記データ通信手段を用いて前記画像データと共に前記位置情報を前記所定の情報処理装置へ送信する手段とをさらに有することを特徴とする請求項１記載の懐中電灯。
【請求項３】
前記位置情報生成手段は、受信したＧＰＳ信号を基に前記位置情報を生成することを特徴とする請求項２記載の懐中電灯。
【請求項４】
音声を集音して音声データを生成する手段と、
前記データ通信手段を用いて前記画像データと共に前記音声データを前記所定の情報処理装置へ送信する手段とをさらに有することを特徴とする請求項１から３のいずれか１項記載の懐中電灯。
【請求項５】
前記高感度撮影手段の撮影方向を示す撮像方向情報を生成する手段と、
前記データ通信手段を用いて、前記画像データと共に前記撮像方向情報を前記所定の情報処理端末へ送信する手段とをさらに有することを特徴とする請求項１から４のいずれか１項記載の懐中電灯。
【請求項６】
ジャイロスコープを用いて自装置の姿勢を検出し、これを基に前記撮像方向情報を生成することを特徴とする請求項５記載の懐中電灯。
【請求項７】
自装置の状態及び操作方法をユーザに提示するための表示装置をさらに有することを特徴とする請求項１から６のいずれか１項記載の懐中電灯。
【請求項８】
マイク及びイヤホンを備えたヘッドセットとの間で微弱電波を用いた機器間無線通信を行う機器間無線通信手段と、
前記移動体通信網を介して電話端末と回線交換による通信を行う回線交換通信手段とを有し、
前記機器間無線通信手段によって前記ヘッドセットから入力された音声を、前記回線交換通信手段を用いて前記電話端末へ送信すると共に、前記回線交換通信手段によって前記電話端末から入力された音声を、前記機器間無線通信手段を用いて前記ヘッドセットへ送信することを特徴とする請求項１から７のいずれか１項記載の懐中電灯。
【請求項９】
前記回線交換通信手段を用いて、前記画像データ及び前記音声データを、前記電話端末へ送信する手段をさらに有することを特徴とする請求項８記載の懐中電灯。
【請求項１０】
照明光の照射角度を調整する機構と、前記高感度撮影手段の画角を変更する機構とを有し、前記照明光の照射角度と前記高感度撮影手段の画角とを連動して変化させることを特徴とする請求項１から９のいずれか１項記載の懐中電灯。
【請求項１１】
前記データ通信手段の駆動及び停止を切り換えるスイッチをさらに有することを特徴とする請求項１から１０のいずれか１項記載の懐中電灯。
【請求項１２】
動力源が発生させた駆動力によって雲台の向きを変化させる駆動機構を備えた支持具へ前記駆動機構の制御信号を送出する手段をさらに有することを特徴とする請求項１から１１のいずれか１項記載の懐中電灯。
【請求項１３】
前記データ通信手段によって前記移動体通信網を介して外部装置から取得した前記駆動機構の制御信号を前記支持具へ出力することを特徴とする請求項１２記載の懐中電灯。
【請求項１４】
請求項１から１３のいずれか１項記載の懐中電灯が前記データ通信手段を用いて送信してきた情報を格納する格納手段と、
ネットワークを介して接続されたコンピュータ端末からの要求に応じて、前記格納手段に格納されている情報を要求元のコンピュータ端末に配信する手段とを有することを特徴とするサーバ。
【請求項１５】
移動体通信機能を備えた懐中電灯とサーバとコンピュータ端末とが移動体通信網を介して接続された連絡システムであって、
前記懐中電灯は、
低光量環境下においても撮影可能な高感度撮影手段と、
前記高感度撮影手段が撮影した画像を基に画像データを生成する手段と、
移動体通信網を介して情報を送受信するためのデータ通信手段と、
前記移動体通信手段を用いて前記画像データを前記サーバへ送信する手段とを有し、
前記サーバは、懐中電灯が前記データ通信手段を用いて送信してきた情報を格納する格納手段と、
ネットワークを介して接続されたコンピュータ端末からの要求に応じて、前記格納手段に格納されている情報を要求元のコンピュータ端末に配信する手段とを有することを特徴とする連絡システム。
【請求項１６】
前記懐中電灯が、自装置の位置情報を生成する位置情報生成手段と、
前記データ通信手段を用いて前記画像データと共に前記位置情報を前記サーバへ送信する手段とをさらに有することを特徴とする請求項１５記載の連絡システム。
【請求項１７】
前記位置情報生成手段は、受信したＧＰＳ信号を基に前記位置情報を生成することを特徴とする請求項１６記載の連絡システム。
【請求項１８】
前記懐中電灯が、音声を集音して音声データを生成する手段と、
前記データ通信手段を用いて前記画像データと共に前記音声データを前記サーバへ送信する手段とをさらに有することを特徴とする請求項１５から１７のいずれか１項記載の連絡システム。
【請求項１９】
前記懐中電灯が、前記高感度撮影手段の撮影方向を示す撮像方向情報を生成する手段と、
前記データ通信手段を用いて、前記画像データと共に前記撮像方向情報を前記サーバへ送信する手段とをさらに有することを特徴とする請求項１５から１８のいずれか１項記載の連絡システム。
【請求項２０】
前記懐中電灯が、ジャイロスコープを用いて自装置の姿勢を検出し、これを基に前記撮像方向情報を生成することを特徴とする請求項１９項記載の連絡システム。
【請求項２１】
前記懐中電灯が、自装置の状態及び操作方法をユーザに提示するための表示装置をさらに有することを特徴とする請求項１５から２０のいずれか１項記載の連絡システム。
【請求項２２】
前記懐中電灯が、マイク及びイヤホンを備えたヘッドセットとの間で微弱電波を用いた機器間無線通信を行う機器間無線通信手段と、
前記移動体通信網を介して電話端末と回線交換による通信を行う回線交換通信手段とを有し、
前記機器間無線通信手段によって前記ヘッドセットから入力された音声を、前記回線交換通信手段を用いて前記電話端末へ送信すると共に、前記回線交換通信手段によって前記電話端末から入力された音声を、前記機器間無線通信手段を用いて前記ヘッドセットへ送信することを特徴とする請求項１５から２１のいずれか１項記載の連絡システム。
【請求項２３】
前記懐中電灯が、前記回線交換通信手段を用いて、前記画像データ及び前記音声データを、前記電話端末へ送信する手段をさらに有することを特徴とする請求項２２記載の連絡システム。
【請求項２４】
前記懐中電灯が、照明光の照射角度を調整する機構と、前記高感度撮影手段の画角を変更する機構とを有し、前記照明光の照射角度と前記高感度撮影手段の画角とを連動して変化させることを特徴とする請求項１５から２３のいずれか１項記載の連絡システム。
【請求項２５】
前記懐中電灯が、前記データ通信手段の駆動及び停止を切り換えるスイッチをさらに有することを特徴とする請求項１５から２４のいずれか１項記載の連絡システム。
【請求項２６】
前記懐中電灯が、動力源が発生させた駆動力によって雲台の向きを変化させる駆動機構を備えた支持具へ前記駆動機構の制御信号を送出する手段をさらに有することを特徴とする請求項１５から２５のいずれか１項記載の連絡システム。
【請求項２７】
前記懐中電灯は、前記データ通信手段によって前記移動体通信網を介して前記コンピュータ端末から取得した前記駆動機構の制御信号を前記支持具へ出力することを特徴とする請求項２６記載の連絡システム。
【発明の詳細な説明】
【技術分野】
【０００１】
本発明は、光量が少ない状況下において事件や事故を責任者に通報するために用いる懐中電灯、サーバ及び連絡システムに関する。
【背景技術】
【０００２】
近年、携帯電話端末の高機能化が進み、デジタルカメラとしての機能を備えたカメラ付き携帯電話端末が主流となっている。
カメラ付き携帯電話端末は、デジタルカメラ機能を用いて生成した画像データを電子メールに貼付して送信することが可能であるが、一部の機種では動画像をリアルタイムに伝送することも可能となっている。
【０００３】
また、警察官、警備会社のガードマン、消防士、道路管理者、鉄道事業者といった職業の者は、光量の少ない時間帯（夜間）や場所（地下施設）で警備や警邏を行ったり、事故の検証や処理を行う際に懐中電灯を使用する。そして、警備や警邏の際に事件や事故を発見した場合には、そのことを速やかに通報する必要がある。
【０００４】
このような職種の者が警備や警邏の際に使用するための懐中電灯としては、特許文献１に開示される「録音機能を有するカメラ付懐中電灯」がある。特許文献１に開示される発明は、懐中電灯にカメラと録音装置とを組み込んだものである。
また、カメラ付き携帯電話端末を用いて画像等を伝送する従来技術をしては、特許文献２に開示される「デジタルカメラ搭載型携帯電話機及び画像情報サービスシステム並びに緊急通報システム」や特許文献３に開示される「送受信機装置」がある。
【特許文献１】特開平５−１２８９０２号公報
【特許文献２】特開２００３−１３４２５８号公報
【特許文献３】特開２０００−３２４２１８号公報
【発明の開示】
【発明が解決しようとする課題】
【０００５】
警備や警邏中に遭遇した事件や事故を責任者に通報する場合には、その通報は一刻一秒を争うため、操作が煩雑なカメラ付き携帯電話端末で電子メールを用いて画像データを送信することは、通報に要する時間が長くなってしまい好ましくない。
【０００６】
さらに、画像又は映像（音声を含む動画像）のみが責任者の下へ送られてきても、責任者としては事故の状況を正確に把握することは困難である。例えば、道路や鉄道線路における事故の場合には重要な情報となる上り下りの位置関係（すなわち、上り線、下り線のいずれに事故が発生したのか）は、画像又は映像のみから把握することはできない。
【０００７】
また、上記特許文献１に記載の発明は、通信機能を有していないため、事故の状況を画像や音声として記録することはできても、これを管理者に速やかに通報することはできない。
【０００８】
また、上記特許文献２や特許文献３に開示される発明は、光量が少ない環境下で撮像する場合については何ら考慮されていない。よって、夜間等の光量が少ない状況で使用した場合には、露出が不足した画像が撮影されてしまい被写体を認識できなくなる。なお、携帯電話端末に大光量の光源を搭載することは、小型化・軽量化の妨げとなるため好ましくない。
【０００９】
このように、従来は光量の少ない時間帯や場所で用いた場合に、周囲の状況を速やかに連絡できる装置やシステムは提供されていなかった。
【００１０】
本発明は、上記問題に鑑みてなされたものであり、光量が少ない状況下で事件や事故を監督者などに通報するのに好適な懐中電灯、サーバ及びこれを用いた連絡システムを提供すること目的とする
【課題を解決するための手段】
【００１１】
上記目的を達成するため、本発明は、第１の態様として、低光量環境下においても撮影可能な高感度撮影手段と、高感度撮影手段が撮影した画像を基に画像データを生成する手段と、移動体通信網を介して情報を送受信するためのデータ通信手段と、データ通信手段を用いて画像データを所定の情報処理装置へ送信する手段とを有する懐中電灯を提供するものである。
【００１２】
上記本発明の第１の態様においては、自装置の位置情報を生成する位置情報生成手段と、データ通信手段を用いて画像データと共に位置情報を所定の情報処理装置へ送信する手段とをさらに有することが好ましく、これに加えて、位置情報生成手段は、受信したＧＰＳ信号を基に位置情報を生成することがより好ましい。
【００１３】
上記本発明の第１の態様のいずれの構成においても、音声を集音して音声データを生成する手段と、データ通信手段を用いて画像データと共に音声データを所定の情報処理装置へ送信する手段とをさらに有することが好ましい。
【００１４】
また、本発明の第１の態様の上記のいずれの構成においても、高感度撮影手段の撮影方向を示す撮像方向情報を生成する手段と、データ通信手段を用いて、画像データと共に撮像方向情報を所定の情報処理端末へ送信する手段とをさらに有することが好ましく、これに加えて、ジャイロスコープを用いて自装置の姿勢を検出し、これを基に撮像方向情報を生成することがより好ましい。
【００１５】
本発明の第１の態様の上記のいずれの構成においても、自装置の状態及び操作方法をユーザに提示するための表示装置をさらに有することが好ましい。
【００１６】
本発明の第１の態様の上記のいずれの構成においても、マイク及びイヤホンを備えたヘッドセットとの間で微弱電波を用いた機器間無線通信を行う機器間無線通信手段と、移動体通信網を介して電話端末と回線交換による通信を行う回線交換通信手段とを有し、機器間無線通信手段によってヘッドセットから入力された音声を、回線交換通信手段を用いて電話端末へ送信すると共に、回線交換通信手段によって電話端末から入力された音声を、機器間無線通信手段を用いてヘッドセットへ送信することが好ましく、これに加えて、回線交換通信手段を用いて、画像データ及び音声データを、電話端末へ送信する手段をさらに有することがより好ましい。
【００１７】
本発明の第１の態様の上記のいずれの構成においても、照明光の照射角度を調整する機構と、高感度撮影手段の画角を変更する機構とを有し、照明光の照射角度と高感度撮影手段の画角とを連動して変化させることが好ましい。
【００１８】
本発明の第１の態様の上記のいずれの構成においても、データ通信手段の駆動及び停止を切り換えるスイッチをさらに有することが好ましい。
【００１９】
本発明の第１の態様の上記のいずれの構成においても、動力源が発生させた駆動力によって雲台の向きを変化させる駆動機構を備えた支持具へ駆動機構の制御信号を送出する手段をさらに有することが好ましく、これに加えて、データ通信手段によって移動体通信網を介して外部装置から取得した駆動機構の制御信号を支持具へ出力することがより好ましい。
【００２０】
また、上記目的を達成するため、本発明は、第２の態様として、上記本発明の第１の態様のいずれかに示す構成の懐中電灯がデータ通信手段を用いて送信してきた情報を格納する格納手段と、ネットワークを介して接続されたコンピュータ端末からの要求に応じて、格納手段に格納されている情報を要求元のコンピュータ端末に配信する手段とを有することを特徴とするサーバを提供するものである。
【００２１】
また、上記目的を達成するため、本発明は、第３の態様として、移動体通信機能を備えた懐中電灯とサーバとコンピュータ端末とが移動体通信網を介して接続された連絡システムであって、懐中電灯は、低光量環境下においても撮影可能な高感度撮影手段と、高感度撮影手段が撮影した画像を基に画像データを生成する手段と、移動体通信網を介して情報を送受信するためのデータ通信手段と、移動体通信手段を用いて画像データをサーバへ送信する手段とを有し、サーバは、懐中電灯がデータ通信手段を用いて送信してきた情報を格納する格納手段と、ネットワークを介して接続されたコンピュータ端末からの要求に応じて、格納手段に格納されている情報を要求元のコンピュータ端末に配信する手段とを有することを特徴とする連絡システムを提供するものである。
【００２２】
上記本発明の第３の態様においては、懐中電灯が、自装置の位置情報を生成する位置情報生成手段と、データ通信手段を用いて画像データと共に位置情報をサーバへ送信する手段とをさらに有することが好ましく、これに加え、位置情報生成手段は、受信したＧＰＳ信号を基に位置情報を生成することがより好ましい。
【００２３】
本発明の第３の態様の上記のいずれの構成においても、懐中電灯が、音声を集音して音声データを生成する手段と、データ通信手段を用いて画像データと共に音声データをサーバへ送信する手段とをさらに有することが好ましい。
【００２４】
本発明の第３の態様の上記のいずれの構成においても、懐中電灯が、高感度撮影手段の撮影方向を示す撮像方向情報を生成する手段と、データ通信手段を用いて、画像データと共に撮像方向情報をサーバへ送信する手段とをさらに有することが好ましく、これに加えて、懐中電灯が、ジャイロスコープを用いて自装置の姿勢を検出し、これを基に撮像方向情報を生成することがより好ましい。
【００２５】
本発明の第３の態様の上記のいずれの構成においても、懐中電灯が、自装置の状態及び操作方法をユーザに提示するための表示装置をさらに有することが好ましい。
【００２６】
本発明の第３の態様の上記のいずれの構成においても、懐中電灯が、マイク及びイヤホンを備えたヘッドセットとの間で微弱電波を用いた機器間無線通信を行う機器間無線通信手段と、移動体通信網を介して電話端末と回線交換による通信を行う回線交換通信手段とを有し、機器間無線通信手段によってヘッドセットから入力された音声を、回線交換通信手段を用いて電話端末へ送信すると共に、回線交換通信手段によって電話端末から入力された音声を、機器間無線通信手段を用いてヘッドセットへ送信することが好ましく、これに加えて、懐中電灯が、回線交換通信手段を用いて、画像データ及び音声データを、電話端末へ送信する手段をさらに有することがより好ましい。
【００２７】
本発明の第３の態様の上記のいずれの構成においても、懐中電灯が、照明光の照射角度を調整する機構と、高感度撮影手段の画角を変更する機構とを有し、照明光の照射角度と高感度撮影手段の画角とを連動して変化させることが好ましい。
【００２８】
本発明の第３の態様の上記のいずれの構成においても、懐中電灯が、データ通信手段の駆動及び停止を切り換えるスイッチをさらに有することが好ましい。
【００２９】
本発明の第３の態様の上記のいずれの構成においても、懐中電灯が、動力源が発生させた駆動力によって雲台の向きを変化させる駆動機構を備えた支持具へ駆動機構の制御信号を送出する手段をさらに有することが好ましく、これに加えて、懐中電灯は、データ通信手段によって移動体通信網を介してコンピュータ端末から取得した駆動機構の制御信号を支持具へ出力することがより好ましい。
【発明の効果】
【００３０】
本発明によれば、光量が少ない状況下において事件や事故を責任者に通報するために用いる懐中電灯、サーバ及びこれを用いた連絡システムを提供できる。
【発明を実施するための最良の形態】
【００３１】
〔第１の実施形態〕
本発明を好適に実施した第１の実施形態について説明する。図１に、本実施形態にかかる連絡システムの構成を示す。この連絡システムは、ネットワーク接続装置１７を介してネットワーク１３に接続されたセンタ端末１５及び電話機１６と、ネットワーク１３に接続されたサーバ１４と、移動体通信網１２を介してネットワーク１３に接続された懐中電灯１と、無線接続によって懐中電灯１と通信可能なヘッドセット１１とを有する。
【００３２】
移動体通信網１２は、携帯電話網及びＰＨＳ網の少なくとも一方を含む。携帯電話網としては、第二世代ディジタル方式（いわゆる日本国内におけるＰＤＣ）や、ＣＤＭＡを採用した第三世代ディジタル方式などを適用可能である。また、ＰＨＳ網としては、不特定多数者が利用可能な公衆回線の他、特定の者だけが利用できる回線（例えば、構内ＰＨＳ回線）も適用可能である。
【００３３】
ネットワーク１３は、インターネットのように不特定多数者が利用可能な情報通信網である。なお、移動体通信網１２に接続された専用回線であっても良い。
【００３４】
サーバ１４は、データベースを含むコンピュータシステムであり、懐中電灯１から送信されてきた位置情報、画像データ、映像データなどを蓄積し、センタ端末１５からの要求に応じてこれらの情報を転送する。
【００３５】
センタ端末１５は、一般的なコンピュータ端末であり、ネットワーク接続装置１７を介してネットワーク１３に接続されており、サーバ１４にアクセスすることによってこれに蓄積されている画像、映像、音声などのデータを参照できる。
なお、ここではサーバ１４とセンタ端末１５とがネットワーク１３を介して接続された構成を例としてあげているが、サーバ１４とセンタ端末１５とはＬＡＮを介して接続されていても良い。すなわち、サーバ１４を管理・運営する者とセンタ端末１５を管理・運営する者とが異なる場合には、これらがネットワーク１３を介して接続された構成となる。また、サーバ１４及びセンタ端末１５が同一者によって管理・運営されるのであれば、これらはＬＡＮを介して接続された構成となる。
【００３６】
電話機１６は、ネットワーク接続装置１７を介してネットワーク１３に接続されており、ヘッドセット１１を装着している懐中電灯１のユーザと音声通話を行うための装置である。電話機１６としては、ＩＳＤＮ端末やＩＰ電話端末、構内交換機に接続された内線電話機などを適用可能である。
【００３７】
ネットワーク接続装置１７としては、コンピュータ端末や電話端末をネットワークに接続するためのあらゆる機器を適用可能であり、例えばデジタル回線接続装置や構内交換機、ルータなどである。なお、ネットワーク接続装置とネットワーク１３とを接続する通信回線には、第一種通信事業者が提供するあらゆる通信回線が適用可能であり、例えば、光ファイバ、ＩＳＤＮ回線、専用線の他に、公衆回線を用いたｘＤＳＬも適用可能である。
【００３８】
懐中電灯１は、ライトスイッチ２、ライト３、制御部４、高感度カメラ５、マイク６、緊急ボタン７、位置情報生成器８、通信装置９、無線送受信部１０、ＬＣＤ５１、決定ボタン５２、選択ボタン５３、メモリカードスロット５４ａ及び三脚接合部５５を有する。
【００３９】
ライトスイッチ２は、光源であるライト３に電力を供給するか否かを切り換えるためのスイッチである。
【００４０】
ライト３は、ライトスイッチ２を介して電源から供給される電力を光に変換する光源であり、電球、ＬＥＤ、ＬＤなどを適用可能である。
【００４１】
制御部４は、懐中電灯１の動作を制御する。制御の具体的な内容については後段で説明する。また、高感度カメラ５で撮影した画像又は映像や、マイク６で収録した音声などのアナログ信号を圧縮符号化する処理なども行う。
【００４２】
高感度カメラ５は、ＣＣＤなどの光電変換素子を備えており、光学素子（レンズ、フィルタ、ミラー等）を介して入光した光に応じた電気信号を出力する。高感度カメラ５は、一般的なカメラよりも集光力の高い光学素子（すなわち、解放Ｆ値の小さい光学素子）及び感度の高い光電変換素子を備えており、夜間や暗闇での撮影に適している。高感度カメラ５は、図５に示すように懐中電灯１の本体内部に内蔵される。
【００４３】
マイク６は、音声を電気信号に変換する音電変換素子であり、懐中電灯１周囲の音声を収録するために用いられる。なお、マイク６は指向性を備えていても良い。
【００４４】
緊急ボタン７は、懐中電灯１を後述する緊急モードに切り換えるためのスイッチである。緊急ボタン７は、ロック型のボタンであり、押下された場合には力が解放されても押下された状態（メーク接点であれば導通状態、ブレーク接点であれば絶縁状態）が維持され、再度押下された際に元の状態に復帰する。すなわち、緊急ボタン７が押下されると懐中電灯１は緊急モードへ移行し、再度緊急ボタン７が押下されるまで緊急モードが継続する。
【００４５】
位置情報生成器８は、懐中電灯１が所在する位置を特定する情報を生成する装置である。位置情報生成器８は、ＧＰＳ衛星が発するＧＰＳ信号を受信して位置情報を生成する装置であっても良いし、通信装置９が移動体通信網１２を構成するいずれの基地局に帰属しているかに基づいて位置情報を生成する装置であっても良い。
【００４６】
通信装置９は、高感度カメラ５で撮影された画像又はマイク６で収録された音声と映像とのアナログ信号を圧縮符号化したデータや、位置情報生成器８が生成した位置情報を移動体通信網１２及びネットワーク１３を介して伝送するためのパケット通信手段と、電話による音声通信を行うための回線交換通信手段とを兼ね備えた装置である。ただし、パケット通信装置と回線交換通信装置とを別々に備えていてもよい。
【００４７】
無線送受信部１０は、無線通信によってヘッドセット１１との間で情報を送受信する装置である。無線送受信部１０は、懐中電灯１を携行するユーザの頭部に装着されるヘッドセット１１との間で音声信号及び制御信号を送受信する。無線送受信部１０が利用する無線ソースとしては、モバイル機器間の標準的な通信方式であり２．４ＧＨｚ帯を使用する「Blue Tooth」が好ましい。
【００４８】
ＬＣＤ５１は、ユーザに情報を提示するための装置であり、懐中電灯１の状態（モード）や各種機能を実行させるためのメニュー画面などが表示される。
例えば、ＬＣＤ５１は、ライトスイッチ２がユーザによって押下されて懐中電灯１が初期電源投入状態に移行するとその旨を表示する。また、選択ボタン５３や決定ボタン５２が押下された場合には、機能選択用の画面や選択された機能に応じた画面を表示する。また、懐中電灯１が緊急モードに移行した場合にはその旨を表示する。
【００４９】
決定ボタン５２及び選択ボタン５３は、ユーザが懐中電灯１を操作するためのボタンであり、選択ボタン５３によって動作を選択し、決定ボタン５２を押下することでその動作が実行される。メモリカードスロット５４は、カード型の情報記録媒体であるメモリカード５４ｂに情報を読み書きする装置である。三脚接合部５５は、三脚やクランプといった懐中電灯１を固定するための支持具を取り付ける部分である。三脚接続部５５は、制御部４からの制御信号を、遠隔操作によって上下・左右に設置台を回転可能な遠隔駆動三脚６０に、伝えるためのインタフェースを備えている。
【００５０】
図２及び図３を用いて制御部４について詳細に説明する。
図２は、制御部４の構成を示すブロック図である。また、図３は、ＬＣＤ５１に表示される画面の一例である。
制御部４は、ＣＰＵ２０１、ＲＯＭ２０２、ＲＡＭ２０３、不揮発メモリ２０４、画像音声符号化処理部２０５、音声処理部２０６、パケット通信Ｉ／Ｆ２０７、回線交換Ｉ／Ｆ２０８、高感度カメラ映像信号入力部２０９、高感度カメラ制御信号Ｉ／Ｆ２１０、マイク音声信号入力部２１１、緊急ボタン信号入力部２１２、位置情報生成器Ｉ／Ｆ２１３、無線送受信部制御Ｉ／Ｆ２１４、無線送受信部音声信号入出力部２１５、三脚接合部制御信号Ｉ／Ｆ２１６、ＬＣＤＩ／Ｆ２１７、決定ボタン信号入力部２１８、選択ボタン信号入力部２１９及びメモリカードスロットＩ／Ｆ２２０を有する。
【００５１】
ＣＰＵ２０１は、懐中電灯１が備える各機能部（高感度カメラ５、マイク６、緊急ボタン７、位置情報生成器８、通信装置９、無線送受信部１０、ＬＣＤ５１、決定ボタン５２、選択ボタン５３、メモリカードスロット５４ａ及び三脚接合部５５）と各種インタフェースを介して接続されており、これらの機能部の動作を制御する。
【００５２】
制御部４は、ＲＯＭ２０２及び不揮発メモリ２０４を具備しており、ライトスイッチ２が押下されて電源がオンとなると、ＲＯＭ２０２に格納されているプログラムがＲＡＭ２０３に読み出されて懐中電灯１が初期電源投入状態へと移行させる。初期電源投入状態とは、一般的な懐中電灯として使用される状態である。
【００５３】
初期電源投入状態において選択ボタン５３が押下されると、選択ボタン信号入力部２１９からＣＰＵ２０１へパルス信号が入力される。これによりＣＰＵ２０１は、選択ボタン５３が押下されたことを検出する。
【００５４】
選択ボタン５３が押下されたことを検出したＣＰＵ２０１は、ＬＣＤＩ／Ｆ２１７を介してＬＣＤ５１を駆動させ、図３に示す通常巡回モード開始選択画面３０１を画面上に表示させる。
【００５５】
決定ボタン５２が押下されると、決定ボタン信号入力部２１８からＣＰＵ２０１へパルス信号が入力される。これにより、ＣＰＵ２０１は、決定ボタン５２が押下されたことを検出する。ＣＰＵ２０１は、通常巡回モード開始選択画面３０１においてカーソルが「はい」を示している状態で決定ボタン５２が押下されたことを検出すると、懐中電灯１を通常巡回モードへと移行させ、ＬＣＤ５１に通常巡回モード画面３０２を表示させる。
【００５６】
ＣＰＵ２０１は、通常巡回モード中に選択ボタン５３が押下されたことを検出すると、巡回モードメニュー画面３０３をＬＣＤ５１に表示させる。通常モードメニュー画面３０３においては、ＣＰＵ２０１は選択ボタン５３の押下を検出する度に画面上のカーソルを所定方向（例えば、画面下方向）に移動させる。そして、ＣＰＵ２０１は、決定ボタン５２が押下されたことを検出すると、カーソルによって示されている機能項目に応じた処理を実行する。
【００５７】
例えば、巡回モードメニュー画面３０３がＬＣＤ５１に表示されている状態で、選択ボタン５３が押下されると、ＣＰＵ２０１は定型文メニュー画面３０４をＬＣＤ５１に表示させる。ＬＣＤ５１に定型文メニュー画面３０４が表示させている状態の時に選択ボタン５３が押下されたこと、又は選択ボタン５３が押下され続けていることを検出すると、カーソルを下方向へ移動させていき、定型文メニュー画面３０５ようにメニューの最終項目をＬＣＤ５１に表示させる。
【００５８】
高感度カメラ制御Ｉ／Ｆ２１０は、ＣＰＵ２０１が高感度カメラ５を制御して画像を撮影するためのインタフェースである。
【００５９】
位置情報Ｉ／Ｆ２１３は、位置情報生成器８から出力される位置情報信号をＣＰＵ２０１が受け取とるため、及び、ＣＰＵ２０１が位置情報生成器８に対して電源のＯＮ／ＯＦＦのための制御信号を出力するためのインタフェースである。
【００６０】
無線送受信部制御Ｉ／Ｆ２１４は、無線送受信部１０を制御してヘッドセット１１との間で無線通信を行うためのインタフェースである。
【００６１】
三脚接合部Ｉ／Ｆ２１６は、三脚接合部５５を介してＣＰＵ２０１から支持具へ設置台の回転制御信号を送信するためのインタフェースである。
【００６２】
メモリカードスロットＩ／Ｆ２２０は、メモリカードスロット５４ａを介してＣＰＵ２０１がメモリカード５４ｂに対して情報を読み書きするためのインタフェースである。
【００６３】
画像音声符号化処理部２０５は、高感度カメラ映像信号入力部２０９を介して送られてきた高感度カメラ５で撮影された映像信号と、マイク音声信号入力部２１１を介して送られてきたマイク６からの音声信号を結合させ、使用する回線の種類や状態に応じて最適な映像データ圧縮を行う。
例えば、回線速度が６４ｋｂｐｓ程度の場合には、ＭＰＥＧ４による圧縮を行い、２８．８ｋｂｐｓ程度の低速度であれば、Ｈ．２６３の圧縮符号化を行い、パケット通信インタフェース２０７へデータを受け渡す。静止画像のみの場合も、同様の圧縮処理を行う。
【００６４】
音声処理部２０６は、巡回モード時においては、無線送受信部音声入出力部２１５を介してヘッドセット１１のマイク１１ａから入力されるアナログの音声信号をデジタル信号に符号化して、ＷＡＶＥファイルなどの音声データを生成し、パケット通信Ｉ／Ｆ２０７へ受け渡す。また、緊急モード時において無線送受信部音声入出力部２１５を介してヘッドセット１１のマイク１１ａから入力されるアナログ音声信号をそのまま回線交換Ｉ／Ｆ２０８へ送るとともに、回線交換Ｉ／Ｆ２０８を介して送られてきたセンタ電話機１６の受話器マイクからの音声信号をそのまま無線送受信部音声信号入出力部２１５へ受け渡す。
【００６５】
パケット通信Ｉ／Ｆ２０７は、通信装置９へ接続されており、移動体通信回線接続時にＣＰＵ２０１と通信装置９との間で信号の送受信を行うとともに、画像音声符号化処理部２０５からの画像圧縮データ及び音声処理部２０６からの音声データを通信装置９へと受け渡す。
【００６６】
図４に、サーバ１４の構成を示す。サーバ１４は、位置情報処理部４０１、地図情報データベース（地図情報ＤＢ）４０２、通常巡回モード時情報記録部４０３、緊急モード時映像処理部４０４、緊急モード時情報記録部４０５及び懐中電灯遠隔処理部４０６を有する。
【００６７】
位置情報処理部４０１は、懐中電灯１から受信した位置情報と地図情報ＤＢ４０２から読み出した地図情報とに基づいて、懐中電灯１の位置を地図上で示す軌跡データを生成する。位置情報処理部４０１は、生成した軌跡データをサーバ１４内の他の機能部からの要求に応じて受け渡す。
【００６８】
地図情報ＤＢ４０２は、地図情報を格納しており、位置情報処理部４０１、通常巡回モード時情報記録部４０３及び緊急モード時情報記録部４０５からの要求に応じて地図情報を受け渡す。
【００６９】
通常巡回モード時情報記録部４０３は、懐中電灯１が通常巡回モード開始状態に移行し、サーバ１４との通信が開始されると、巡回記録ファイルを作成する。その後、通常巡回モード時情報記録部４０３は、位置情報処理部４０１に対して定期的に軌跡データを要求し、懐中電灯１からの音声ファイルと関連づけた上で巡回記録ファイルに格納する。そして、センタ端末１５からの要求に応じて、時間や場所、その他センタ端末１５から指定された条件に適合する巡回記録ファイルをセンタ端末１５の表示装置の画面上に表示させる。
【００７０】
緊急モード時映像処理部４０４は、緊急モード時に懐中電灯１から受信した映像データや静止画像データをセンタ端末１５やその他の端末へ配信するとともに、緊急モード時情報記録部４０３に映像データ又は静止画像データを登録する。
【００７１】
緊急モード時情報記録部４０５は、緊急モード時映像処理部４０４からの映像データ又は静止画像データと、位置情報処理部４０１から取得した軌跡データとを基に緊急記録ファイルを生成して格納する。そして、センタ端末１５からの要求に応じて、時間や場所、その他センタ端末１５から指定された条件に適合する緊急記録ファイルをセンタ端末１５の表示装置の画面上に表示させる。
【００７２】
通常巡回モード時の連絡システムの動作について説明する。
図６に、本実施形態にかかる連絡システムの動作の流れの一例を示す。ここでは警備員が夜間巡回する際に懐中電灯１を使用する場合を例として説明する。
警備員が懐中電灯１の具備するライトスイッチ２を押下すると（ステップＳ１０１）、ライトスイッチ２はＯＮとなりライト３が点灯する。また、ライトスイッチ２が押下されたことを検出したＣＰＵ２０１は、不図示の電力源に対して指令を送り、位置情報生成器８、通信装置９及び無線送受信部１０に対して電力を供給させ、これらを作動状態に移行させる（ステップＳ１０２）。
【００７３】
その後、ＣＰＵ２０１は、通信装置９を用いて移動体通信網１２及びネットワーク１３を介してサーバ１４へ巡回開始信号を送信する（ステップＳ１０３）。サーバ１４が、懐中電灯１から送信されてきた巡回開始信号を受信すると（ステップＳ１０４）、懐中電灯１とサーバ１４との間の通信が確立し、ＣＰＵ２０１は、位置情報生成器８が生成した位置情報を通信装置９を用いてサーバ１４へ送信し始める（ステップＳ１０５）。
【００７４】
懐中電灯１から送信されてきた位置情報を受信したサーバ１４は、位置情報処理部４０１による軌跡データの生成を開始し、ライトスイッチ２が再度押下されてＣＰＵ２０１が位置情報の送信を停止するまでこれを継続する。
【００７５】
また、警備員が情報を音声として発すると、その音声はヘッドセット１１のマイク１１ｂによって集音され、無線送受信部１１ａ及び無線送受信部１０を介して懐中電灯１へと送られる。懐中電灯１へと送られた音声は、制御部４の音声処理部２０６において音声データへと変換される。ＣＰＵ２０１は、音声処理部２０６が生成した音声データを、通信装置９を用いて移動体通信網１２及びネットワーク１３を介してサーバ１４へと送信する。
【００７６】
また、上記のように、通常巡回モード中に選択ボタン５３が押下されると、ＣＰＵ２０１がこれを検出し定型文メニュー画面をＬＣＤ５１に表示させる。ＣＰＵ２０１は、選択ボタン５３が押下されるたびに（選択ボタン５３が押下され続けた場合は所定時間ごとに）定型文メニュー画面上でカーソルを所定方向へ移動させていく。そして、決定ボタン５２が押下されると、ＣＰＵ２０１はこれを検出し、その時定型文メニュー画面上でカーソルによって示されている定型文を通信装置９を用いてサーバ１４へと送信する（ステップＳ１０６）。
【００７７】
サーバ１４が懐中電灯１から音声データや定型文データを受信すると、通常巡回モード時情報記録部４０３は、受信した音声データや定型文データを軌跡データと関連づけて巡回ファイルとして記録する。
【００７８】
巡回を終了した後、警備員がライトスイッチ２を押下すると（ステップＳ１０７）、ライトスイッチ２はＯＦＦとなりライト３は消灯する。ＣＰＵ２０１は、ライトスイッチ２が押下されてＯＦＦ状態となったことを検出すると、ＣＰＵ２０１は不図示の電力源に対して指令を送り、位置情報生成器８、通信装置９及び無線送受信部１０に対する電力の供給を停止させ、これらを停止状態に移行させる（ステップＳ１０８）。
【００７９】
図７及び図８を用いて緊急モード時の動作について説明する。
巡回中の警備員が事故又は事件に遭遇して緊急事態となり、懐中電灯１が備える緊急ボタン７を押下すると（ステップＳ２０１／Ｙｅｓ）、ＣＰＵ２０１は懐中電灯１を緊急モードへと移行させる（ステップＳ２０２）。そして、ＣＰＵ２０１は、高感度カメラ５及びマイク６を起動させて、懐中電灯１を撮影開始スタンバイ状態にする（ステップＳ２０３）。
【００８０】
懐中電灯１が撮影開始スタンバイ状態になるとＣＰＵ２０１は、サーバ１４に対して緊急信号を送信し（ステップＳ２０４、ステップＳ３０１）、センタ電話機１６へダイヤル発信する（ステップＳ２０５、ステップＳ３０２）。
【００８１】
サーバ１４は、懐中電灯１からの緊急信号を受信すると緊急モード状態となり（ステップＳ８０３）、懐中電灯１に対して映像データを送信するように指示する信号（映像データ伝送指示信号）を送出する（ステップＳ３０４）。
懐中電灯１がサーバ１４からの映像データ送信指示信号を受信すると（ステップＳ２０６／Ｙｅｓ）、ＣＰＵ２０１は、通信装置９を用いて映像データ及び位置情報データをサーバ１４へと送信する（ステップＳ２０７、Ｓ３０５）。
【００８２】
懐中電灯１から送信されてきた映像データ及び位置情報データをサーバ１４が受信すると、緊急モード時情報記録部４０５は受信した位置情報データを基に位置情報管理部４０１から軌跡情報を取得し、映像データと軌跡情報とを関連づけて記録ファイルとして記録する（ステップＳ３０６）。
【００８３】
一方、センタ電話機１６が懐中電灯１からのダイヤル発信を受け、センタの職員がセンタ電話機１６の受話器をオフフックすると（ステップＳ２０８、Ｓ３０７）、懐中電灯１とセンタ電話機１６との間で音声通信が確立し、通話が開始される（ステップＳ２０９、Ｓ３０８）。
【００８４】
サーバ１４は、センタ端末１５から映像及び軌跡データのモニタ要求を受けると（ステップＳ３０９）、要求された映像及び軌跡データをセンタ端末１５に送信する（ステップＳ３１０）。
【００８５】
なお、懐中電灯１は、無線回線の状態を監視しており、通信中に無線回線の状態が劣化し通信が切断された場合には、無線回線の状態が回復した段階でリダイヤルを行って通信を復旧させる。
【００８６】
また、懐中電灯１が緊急モードとなっている状態の時に選択ボタン５３が押下された場合には、制御部４は、予めメモリカード５４ｂに登録されているセンタの電話番号を読み出して取得し、その電話番号をＬＣＤ５１に表示させることも可能である。
この場合ＣＰＵ２０１は、決定ボタン５２が押下された際には、センタ電話機１６との通信を保留状態として、ＬＣＤ５１に表示されている電話番号に対してダイヤル発信を行う。そして以後は、ＣＰＵ２０１は、選択ボタン５３が押下されるごとに、センタ電話機１６と通信とメモリカード５４ｂに登録されていた電話番号に該当する電話機との通信とを切り換える。
なお、懐中電灯１とメモリカード５４ｂに登録されていた電話機との緊急モード時の動作については、通信相手がセンタ電話機１６である場合と同様である。
【００８７】
さらに、懐中電灯１は、図９に示すような遠隔駆動三脚６０に設置することでセンタ端末１５から遠隔操作することが可能である。三脚接続部５５は、これに接続された遠隔駆動三脚６０と制御部４とを電気的に接続するための接点を備えている。懐中電灯１と遠隔駆動三脚６０とを接続する方法は、懐中電灯１の下部に形成されている雌ねじと、遠隔駆動三脚６０の設置台６１に設けられた固定用ねじ（雄ねじ）とをネジ止めする一般的な構造によるものである。
【００８８】
遠隔駆動三脚６０には、電動モータとギアとからなる駆動機構６２と駆動制御部６３とが設けられている。駆動制御部６３は、懐中電灯１の制御部４から三脚接合部制御信号Ｉ／Ｆ２１５を介して送られてきた遠隔制御信号に応じて駆動機構６２を制御し、設置台６１を上下、左右に回転させる。
【００８９】
センタ端末１５を操作するセンタ職員は、ネットワーク１３及び移動体通信網１２を介して懐中電灯１へ遠隔駆動三脚６０の遠隔制御信号を送り、遠隔駆動三脚６０の制御台６１の向きを変え、懐中電灯１を任意の方向へ向けることができる。すなわち、ライト３が光を照射する方向や、高感度カメラ５のアングルを任意の方向とすることができる。
【００９０】
〔第２の実施形態〕
本発明を好適に実施した第２の実施形態について説明する。図１０に、本実施形態にかかる連絡システムの構成を示す。この連絡システムは、懐中電灯１がジャイロスコープ２０及び姿勢情報生成部２１をさらに有する他は、第１の実施形態と同様である。
姿勢情報生成部２１は、ジャイロスコープ２０を構成するコマの回転軸の方向を基に懐中電灯１の姿勢（換言すると、ライト３の光軸の方向）を示す姿勢情報を生成する。
【００９１】
図１１に、本実施形態での制御部４の構成を示す。本実施形態での制御部４は、姿勢情報生成部Ｉ／Ｆ２２１をさらに有する他は第１の実施形態と同様である。姿勢情報生成部Ｉ／Ｆ２２１は、姿勢情報生成部２１から姿勢情報を取得するためのインタフェースである。
【００９２】
本実施形態にかかる連絡システムにおいて、懐中電灯１は、位置情報とともに姿勢情報をサーバ１４へと送信する。これにより、サーバ１４では、懐中電灯１から取得した映像がどの場所で撮影されたものであるかを認識できるだけでなく、どの方向を向いて撮影されたものであるかをも認識できる。
これにより、懐中電灯１を所持する警備員が方向を特定しにくい場所（通路の分岐点において複数の通路の外観が類似する場合や霧や煙などの影響で視界が不良である場合など）で撮影した映像データを有効に活用できる。
【００９３】
〔第３の実施形態〕
本発明を好適に実施した第３の実施形態について説明する。図１２に、本実施形態にかかる連絡システムの構成を示す。本実施形態にかかる連絡システムは、懐中電灯１がライト照射角調整スイッチ３０をさらに有する他は第１の実施形態と同様である。なお、本実施形態においては高感度カメラ５はズーム機能を備えている。
【００９４】
ライト照射角調整スイッチ３０は、３端子のスイッチであり、ライト３の照射角を広げる広角スイッチ３０ａと照射角を狭くする望遠スイッチ３０ｂとからなる。
【００９５】
図１３に、本実施形態での制御部４の構成を示す。本実施形態において制御部４は、ライト照射角調整スイッチＩ／Ｆ２２２及び、画角制御Ｉ／Ｆ２２３をさらに有する。ライト照射角調整スイッチＩ／Ｆ２２２は、広角スイッチ３０ａ又は望遠スイッチ３０ｂが押下された際に発生するパルスを検出する。画角制御Ｉ／Ｆ２２３は、ＣＰＵ２０１からの指示に応じて高感度カメラ５のズームレンズの駆動機構に信号を送り、焦点距離を変更して画角を変更する。
【００９６】
ライト照射角調整スイッチ３０を使用する際の動作について説明する。懐中電灯１を所持する警備員がライト照射角調整スイッチ３０を操作し、ライト３の照射角を任意の角度に設定すると、ＣＰＵ２０１は画角制御Ｉ／Ｆ２２３を用いて高感度カメラ５の焦点距離を制御し、高感度カメラ５の画角とライト３の照射角とを一致させる。すなわち、ライト３の照射角と高感度カメラ５の画角とを連動して制御する。
【００９７】
ライト３の照射角が高感度カメラ５の画角よりも狭い場合、画像の周縁部には光が行き届かないためにいわゆるケラレが発生し、良好な画像が得られなくなる。一方、ライト３の照射角が高感度カメラ５の画角よりも広い場合には、ライト３の発する光を撮像されない範囲にまで分散させることとなるため、ライト３の発する照明光の一部が無駄となる。
本実施形態での懐中電灯１は、ライト３の照射角と高感度カメラ５の画角とを連動させることにより、ライト３の発する照明光を無駄なく活用でき、懐中電灯１の消費電力を低減することが可能となる。
【００９８】
〔第４の実施形態〕
本発明を好適に実施した第４の実施形態について説明する。
図１４に、本実施形態にかかる連絡システムの構成を示す。この連絡システムは、懐中電灯１が緊急ボタン７を有しておらず、画像メモリ４０をさらに有する他は第１の実施形態と同様である。なお、本実施形態にかかる連絡システムにおいては、懐中電灯１には「緊急」や「巡回」といったモードは存在しない。すなわち、ライトスイッチ２が押下状態となると、高感度カメラ５やマイク６などに電力が供給される。
【００９９】
図１５に、本実施形態にかかる懐中電灯１の制御部４の構成を示す。本実施形態において制御部４は、第１の実施形態のものとほぼ同様の構成であるが、画像メモリＩ／Ｆ２２４をさらに有し、緊急ボタン信号入力部２１２は備えていない。画像メモリＩ／Ｆ２２４は、画像メモリ４０に対して画像データを読み書きするためのＩ／Ｆである。
【０１００】
図１６に、本実施形態にかかる連絡システムを構成するサーバ１４の構成を示す。本実施形態おいてサーバ１４は、位置情報処理部４１１、地図データＤＢ４１２、情報記録部４１３及び懐中電灯遠隔操作部４１４を有する。位置情報処理部４１１、地図ＤＢ４１２及び懐中電灯遠隔操作部４１４は、第１の実施形態の位置情報処理部４０１、地図ＤＢ４０２及び懐中電灯遠隔操作部４０６とそれぞれ同様である。
情報記録部４１３は、移動体通信網１２及びネットワーク１３を介して懐中電灯１から取得した映像データを記録する。
【０１０１】
本実施形態にかかる連絡システムの動作について説明する。ＣＰＵ２０１は、ライトＳＷ２が押下されたことを検出すると、高感度カメラ５及びマイク６を駆動して撮影を開始し、映像データを画像メモリ４０に順次蓄積していく。また、ＣＰＵ２０１は、ライトＳＷ２が押下された際に位置情報生成部８への電力の供給を開始して位置情報を生成させる。そして、位置情報生成部８が生成した位置情報を所定の時間間隔で記録する。
【０１０２】
ＣＰＵ２０１は、画像メモリ４０に蓄積した映像データのデータ量を監視しており、これが所定値（例えば、画像メモリ４０の容量の半分）を超えたら、蓄積した映像データを基に所定のフォーマット形式の動画像ファイルを生成する。また、ライトＳＷ２が押下されてから画像メモリ１００の使用量が所定値を超えるまでの間に記録した位置情報を基に位置履歴ファイルを生成する。
【０１０３】
これらのファイルを生成し終えたらＣＰＵ２０１は、ＲＯＭ２０２に格納されている電子メールプログラムを起動し、サーバ１４を宛先とし上記の動画像ファイル及び位置履歴ファイルを添付した電子メールをサーバ１４へと送信する。なお、この際には、電子メールの件名を特定の名称とすることで、これらのファイルが添付されたメールであることをサーバ１４が認識できるようにする。また、画像メモリの容量の関係で、一連の映像が複数個の動画像ファイルに分割される場合には、それらの動画像ファイルが一連の映像であることをサーバ１４が認識できるように件名を設定する。
【０１０４】
懐中電灯１からの電子メールをサーバ１４が受信すると、位置情報処理部４１１は、地図データＤＢ４１２から地図データを読み出し、電子メールに添付されている位置履歴ファイルを基に懐中電灯１の移動軌跡を地図上で表す軌跡データを生成する。
【０１０５】
また、情報記録部４１３は、懐中電灯１からの電子メールに添付されている動画像ファイルを蓄積する。なお、一連の映像が懐中電灯１から複数個の動画像ファイルとして電子メールに添付されてきた場合には、各動画像ファイルの映像を時系列に沿って繋ぎ合わせ、連続した映像データに復元した状態で蓄積する。
【０１０６】
なお、ここでは画像メモリ１００に蓄積した映像データのデータ量が所定値を超えた場合に、ＣＰＵ２０１が電子メールプログラムを起動する場合について説明したが、電子メールプログラムを起動する代わりにファイル転送プログラムを起動して、ＦＴＰ（Ｆｉｌｅ  Ｔｒａｎｓｆａｒ  Ｐｒｏｔｏｃｏｌ）を用いて動画像ファイルや位置履歴ファイルをサーバ１４へ転送するようにしても良い。
【０１０７】
なお、本実施形態にかかる連絡システムにおいて、サーバ１４がセンタ端末１５から映像及び軌跡データのモニタ要求を受けた場合の動作については、上記第１の実施形態と同様である。
【０１０８】
また、ここでは高感度カメラ５を用いて動画像を撮影する場合を例に説明したが、高感度カメラ５で静止画像を撮影するようにしてもよい。この場合の動作については処理の対象が動画像であるか静止画像であるかが異なるだけで上記同様である。
【０１０９】
〔第５の実施形態〕
本発明を好適に実施した第５の実施形態について説明する。本実施形態にかかる連絡システムの構成は、第４の実施形態にかかる連絡システムと同様である。
【０１１０】
本実施形態にかかる連絡システムの動作について説明する。
ＣＰＵ２０１は、ライトＳＷ２が押下されたことを検出すると、高感度カメラ５及びマイク６を駆動して撮影を開始し、映像データを画像メモリ４０に順次蓄積していく。また、ＣＰＵ２０１は、ライトＳＷ２が押下された際に位置情報生成部８への電力の供給を開始して位置情報を生成させる。そして、位置情報生成部８が生成した位置情報を所定の時間間隔で記録する。
【０１１１】
さらに、ＣＰＵ２０１は、回線交換Ｉ／Ｆ２０８により通信装置９を用いてセンタ電話機１６へ発呼し、センタ電話機１６との間に回線交換接続を確立する。
【０１１２】
懐中電灯１とセンタ電話機１６との間に回線交換接続が確立すると、ＣＰＵ２０１は、画像メモリ４０に蓄積された映像データをＦＩＦＯで読み出し、サーバ１４へ順次送信する。これにより、懐中電灯１の高感度カメラ５及びマイク６を用いて撮影された映像は、いわゆる「ＴＶ電話」としてセンタ電話機１６へと送信される。
【０１１３】
これにより、センタ電話機１６を使用する管理者は、懐中電灯１によって撮影された画像をモニタして、事件や事故の状況を把握することができる。
【０１１４】
なお、上記各実施形態は、本発明の好適な実施の一例であり、本発明はこれらに限定されることはない。
例えば、上記第２の実施形態においては、ジャイロスコープを備える懐中電灯を用いた連絡システムについて説明したが、第４の実施形態や第５の実施形態にかかる連絡システムもジャイロスコープを備えた懐中電灯を用いて構成可能であることは言うまでもない。
また、上記各実施形態においては、高感度カメラを備える懐中電灯を用いた連絡システムについて説明したが、高感度カメラの代わりに赤外線光源及び赤外線カメラを備えた懐中電灯を用いても上記各実施形態と同様の効果が得られる。
このように、本発明は様々な変形が可能である。
【図面の簡単な説明】
【０１１５】
【図１】本発明を好適に実施した第１の実施形態にかかる連絡システムの構成を示す図である。
【図２】第１の実施形態にかかる連絡システムに用いる懐中電灯の制御部の構成を示す図である。
【図３】懐中電灯が備えるＬＣＤに表示される画面の一例を示す図である。
【図４】第１の実施形態にかかる連絡システムに用いるサーバの構成を示す図である。
【図５】懐中電灯の外観形状を示す図である。
【図６】第１の実施形態にかかる連絡システムにおいて、懐中電灯が巡回モードである場合の動作の流れの一例を示す図である。
【図７】第１の実施形態にかかる連絡システムにおいて、懐中電灯が緊急モードである場合の動作の流れの一例を示す図である。
【図８】第１の実施形態にかかる連欄システムにおいて、懐中電灯が緊急モードである場合の動作シーケンスの一例を示す図である。
【図９】遠隔駆動三脚の構成を示す図である。
【図１０】本発明を好適に実施した第２の実施形態にかかる連絡システムの構成を示す図である。
【図１１】第２の実施形態にかかる連絡システムに用いる懐中電灯の制御部の構成を示す図である。
【図１２】本発明を好適に実施した第３の実施形態にかかる連絡システムの構成を示す図である。
【図１３】第３の実施形態にかかる連絡システムに用いる懐中電灯の制御部の構成を示す図である。
【図１４】本発明を好適に実施した第４の実施形態にかかる連絡システムの構成を示す図である。
【図１５】第４の実施形態にかかる連絡システムに用いる懐中電灯の制御部の構成を示す図である。
【図１６】第４の実施形態にかかる連絡システムに用いるサーバの構成を示す図である。
【符号の説明】
【０１１６】
１    懐中電灯
２    ライトスイッチ（ライトＳＷ）
３    ライト
４    制御部
５    高感度カメラ
６    マイク
７    緊急ボタン
８    位置情報生成器
９    通信装置
１０    無線送受信部
１１    ヘッドセット
１２    移動体通信網
１３    ネットワーク
１４    サーバ
１５    センタ端末
１６    センタ電話機
１７    接続装置
２０    ジャイロ
２１    姿勢情報生成部
３０    ライト照射角調整スイッチ
４０    画像メモリ
５１    ＬＣＤ
５２    決定ボタン
５３    選択ボタン
５４ａ    メモリカードスロット
５４ｂ    メモリカード
５５    三脚接合部
６０    遠隔駆動三脚
６１    設置台
６２    駆動機構
６３    駆動制御部
２０１    ＣＰＵ
２０２    ＲＯＭ
２０３    ＲＡＭ
２０４    不揮発メモリ
２０５    画像音声処理部
２０６    音声処理部
２０７    パケット通信  Ｉ／Ｆ
２０８    回線交換  Ｉ／Ｆ
２０９    高感度カメラ映像信号入力部
２１０    高感度カメラ制御信号Ｉ／Ｆ
２１１    マイク音声信号入力部
２１２    緊急ボタン信号入力部
２１３    位置情報生成器Ｉ／Ｆ
２１４    無線送受信部Ｉ／Ｆ
２１５    無線送受信部音声信号入出力部
２１６    三脚接合部制御信号Ｉ／Ｆ
２１７    ＬＣＤ  Ｉ／Ｆ
２１８    決定ボタン信号入力部
２１９    選択ボタン信号入力部
２２０    メモリカードスロットＩ／Ｆ
２２１    姿勢情報生成部Ｉ／Ｆ
２２２    ライト照射角調整スイッチＩ／Ｆ
２２３    画角制御Ｉ／Ｆ
２２４    画像メモリＩ／Ｆ
４０１、４１１    位置情報処理部
４０２、４１２    地図データＤＢ
４０３    通常巡回モード時情報記録部
４０４    緊急モード時映像処理サーバ
４０５    緊急モード時情報記憶部
４０６、４１４    懐中電灯遠隔操作部
４１３    情報記録部
【図１】
2005209559.tif 000003
【図２】
2005209559.tif 000004
【図３】
2005209559.tif 000005
【図４】
2005209559.tif 000006
【図５】
2005209559.tif 000007
【図６】
2005209559.tif 000008
【図７】
2005209559.tif 000009
【図８】
2005209559.tif 000010
【図９】
2005209559.tif 000011
【図１０】
2005209559.tif 000012
【図１１】
2005209559.tif 000013
【図１２】
2005209559.tif 000014
【図１３】
2005209559.tif 000015
【図１４】
2005209559.tif 000016
【図１５】
2005209559.tif 000017
【図１６】
2005209559.tif 000018